(57)【特許請求の範囲】
【請求項１】
固定側軌道部材、回転側軌道部材、及び両軌道部材を相対回転可能する複数の転動体を備えた軸受を含む転がり軸受装置において、
潤滑剤と、同潤滑剤を保持する保持部材を収納する収納室を備えた収納室形成部材を前記固定側軌道部材の軸方向側に隣接配置し、
前記収納室には、同収納室と連通され、前記回転側軌道部材の回転によって流れる空気を受け入れる吸気ノズルと、前記収納室と連通され、前記吸気ノズルが吸気した空気によって収納室内の潤滑剤を、前記軸受に向けて吐出する吐出ノズルを設け、
前記吸気ノズルの開口を、前記回転側軌道部材の回転方向と反対方向に斜めに向かうように設け、
前記吐出ノズルの開口を、前記回転側軌道部材の回転方向と同じ方向に斜めに向かうとともに、前記回転側軌道部材側又は前記転動体側に開口するように設けたことを特徴とする転がり軸受装置。
【請求項２】
前記収納室形成部材が間座であることを特徴とする請求項１に記載の転がり軸受装置。
【発明の詳細な説明】
【技術分野】
【０００１】
本発明は、転がり軸受装置に関する。
【背景技術】
【０００２】
従来、潤滑剤を供給する軸受装置は種々提案されている。例えば、特許文献１では、転がり軸受装置に付設された給油ユニットにより、潤滑油を吐出するようにされている。
又、工作機械やモータの主軸等に使用される軸受に対してグリース自体を供給する装置も提案されている（特許文献２）。これは、グリース潤滑で使用される例えば工作機械用高速軸受は、グリース寿命の点から、高速回転で長時間の運転ができないことから、新たにグリースを補給することが必要となっているからである。特許文献２では、このためグリースを外部補給装置から所定のタイミングで軸受に供給するようにしている。
【０００３】
又、グリースの基油のみを供給する転がり軸受装置も提案されている（特許文献３，特許文献４）。特許文献３の軸受装置では、固定側軌道輪を有する内輪又は外輪に隣接してグリース溜まりが設けられ、固定側軌道輪の軌道面側の周面に沿って隙間形成部品が設けられるとともに、グリース溜まりと隙間形成部品が形成する隙間にグリースが充填されている。そして、前記グリース溜まりと前記隙間と固定側軌道輪の軌道面とを繋ぐグリースを通路とし、毛細管現象を利用して該グリースの基油を潤滑油として転動体接触部に連続的に供給するようにしている。
【０００４】
又、特許文献４の軸受装置は、内輪に設けられた保持溝に対してグリースの基油を保持する保持部材が装着されて、前記保持部材が内輪と一体的にされている。特許文献３、特許文献４の軸受装置によれば、グリースの基油のみを補給するため、グリースの増稠剤の量が増加することがなく、グリースの攪拌抵抗を抑制できて、高速下で使用される軸受におけるグリースの短寿命化に伴う発熱等の不具合を解消できる利点がある。
【特許文献１】特開２００７−９２８８６号公報
【特許文献２】特開２００４−７６９３８号公報
【特許文献３】特開２００６−２７５１９６号公報
【特許文献４】特開２００４−３２４８１０号公報
【発明の開示】
【発明が解決しようとする課題】
【０００５】
ところが、特許文献１の軸受装置では、ダイヤフラム式マイクロポンプ等の吐出駆動を行う駆動源が必要になる問題があるとともに駆動源を制御する装置も必要となり、コスト高となる問題がある。又、特許文献２の軸受装置では、外部補給装置が必要となるため、特許文献１と同様に潤滑剤であるグリースを補給するための駆動源が必要であるとともに駆動源を制御する装置も必要となり、コスト高となる問題がある。
【０００６】
特許文献３の軸受装置では、軸受の周辺構造が複雑になる問題があるとともに、毛細管現象は表面張力によって起こることから、表面張力によって基油の供給能力が決定されてしまいその供給能力が低く、又、潤滑剤の供給量を可変できない問題がある。
【０００７】
特許文献４の軸受装置では、外部から軸受装置に対してグリースの基油を補給することから、補給時期を管理者側で決定する必要があり、面倒であったり、或いは外部補給装置が必要となるため、コスト高となる問題がある。
【０００８】
本発明の目的は、構造が簡単であり、軸受の回転速度に応じて潤滑剤を自動補給できる転がり軸受装置を提供することにある。
【課題を解決するための手段】
【０００９】
上記問題点を解決するために、請求項１に記載の発明は、固定側軌道部材、回転側軌道部材、及び両軌道部材を相対回転可能する複数の転動体を備えた軸受を含む転がり軸受装置において、潤滑剤と、同潤滑剤を保持する保持部材を収納する収納室を備えた収納室形成部材を前記固定側軌道部材の軸方向側に隣接配置し、前記収納室には、同収納室と連通され、前記回転側軌道部材の回転によって流れる空気を受け入れる吸気ノズルと、前記収納室と連通され、前記吸気ノズルが吸気した空気によって収納室内の潤滑剤を、前記軸受に向けて吐出する吐出ノズルを設け、前記吸気ノズルの開口を、前記回転側軌道部材の回転方向と反対方向に斜めに向かうように設け、前記吐出ノズルの開口を、前記回転側軌道部材の回転方向と同じ方向に斜めに向かうとともに、前記回転側軌道部材側又は前記転動体側に開口するように設けたことを特徴とする軸受装置を要旨とするものである。
【００１１】
請求項２の発明は、請求項１において、前記収納室形成部材が間座であることを特徴とする。
【発明の効果】
【００１２】
請求項１の発明によれば、吸気ノズルから回転側軌道部材の回転によって流れる空気を受け入れ、収納室内の潤滑剤を吐出ノズルから回転側軌道部材に向けて吐出するため、構造が簡単であるとともに、軸受の回転速度に応じて潤滑剤を自動補給できる効果を奏する。
【００１３】
また、吸気ノズルの開口が、回転側軌道部材の回転方向と反対方向に向かうように設けられていることにより、回転側軌道部材の回転に伴って流れる空気が、吸気ノズルの開口を介して収納室に効率よく入るため、収納室内の潤滑剤を吐出する圧力が高まり良好に潤滑剤を吐出できる。
【００１４】
また、吐出ノズルの開口が、回転側軌道部材の回転方向と同方向に向かうように設けられていることにより、吐出ノズルの開口内が、回転側軌道部材の回転に伴って流れる空気により吸引されて圧力が低下するため、収納室からの潤滑剤を回転側軌道部材に抵抗なく向けて吐出することができる。
【００１５】
請求項２の発明によれば、固定側軌道部材に隣接する間座に収納室が設けられていることにより、収納室を固定側軌道部材に近接して配置することができ、吸気ノズル及び吐出ノズルを短くできるため、吸気ノズル内を通過する空気の流動抵抗や、潤滑剤の流動抵抗を抑制して、好適に潤滑剤を吐出できる。
【発明を実施するための最良の形態】
【００１６】
（第１実施形態）
以下、本発明の転がり軸受装置を、グリース潤滑のアンギュラ玉軸受に具体化したを一実施形態を図１〜４に基づいて説明する。
【００１７】
図１に示すように、転がり軸受装置（以下、単に軸受装置１０という）は、工作機械のハウジング１２と駆動軸１３（軸体）との間の環状空間に、所定の軸方向間隔を隔てて対で配置されている。なお、これら軸受装置１０の構成は左右対称形状であるため、図２〜図４では一方の軸受装置１０の構成のみ表している。
【００１８】
軸受装置１０は、駆動軸１３が圧入される内輪部材１４と、この内輪部材１４に同心に配置されてハウジング１２に圧入される外輪部材１５と、図２に示すように、内輪部材１４の外周面に形成された内輪軌道面１６及び外輪部材１５の内周面に形成された外輪軌道面１７の間に転動自在に配置される複数個の玉１８とを備えている。前記玉１８は保持器１９により円周方向に等配された位置に保持されている。又、予め軸受内部に潤滑グリース（以下単に「グリース」という）Ｇが設けられている。前記グリースＧの増稠剤として、例えばウレア系，Ｂａ系，Ｌｉ系が用いられ、基油３０としてエステル＋合成炭化水素系が用いられ、その粘度は４０°Ｃ下で２０〜３０ｍｍ２／ｓ、グリースＧの稠度はＮＬＧＩ２相当である。基油３０は潤滑剤に相当する。
【００１９】
本実施形態では、内輪部材１４が回転側軌道部材に相当し、外輪部材１５が固定側軌道部材に相当し、玉１８が転動体に相当する。
図１に示すように、外輪部材１５間に円筒状の外輪間座２０が配置され、内輪部材１４間に内輪間座２１が配置されている。各軸受装置１０の外輪部材１５同士は軸方向一対のスペーサ２２によって挟持されている。ハウジング１２中心の支持孔２４の軸方向一方側には段付部２５が形成されている。
【００２０】
段付部２５と支持孔２４の軸方向他方側の開口部には抑えリング２６が装着され、段付部２５と抑えリング２６との間に、外輪間座２０、外輪部材１５及びスペーサ２２が挟持されている。
【００２１】
内輪間座２１及び両軸受装置１０の内輪部材１４は、スペーサ２３によって挟持されており、これらスペーサ２３は、駆動軸１３の軸方向一方側に螺着された抑えナット部材２７と、駆動軸１３の軸方向他方側に形成された鍔部２８とにより挟持されている。
【００２２】
図１、図２に示すように、外輪間座２０の外周面において、各外輪部材１５に近接した部位には一対の溝状をなす収納室２９が形成されている。外輪間座２０は収納室形成部材に相当する。収納室２９は、本実施形態では、周方向に始端及び終端を有する横断面Ｃ字状に形成されているが、横断面リング状に形成されていてもよい。収納室２９は潤滑剤補給タンクとなるものである。収納室２９は外輪間座２０周方向に延びて形成されている。図３は、収納室２９を周方向に展開した模式図である。同図に示すように、外輪間座２０の軸方向の各端面には、それぞれ一対のノズル３１，３２が内輪部材１４に対向するように設けられ、収納室２９と連通されている。
【００２３】
収納室２９内には、基油３０を保持する環状の保持部材３３が隙間なく嵌合されている。なお、図１〜４では基油３０を図示するため、便宜上、保持部材３３は収納室２９の壁面とは間隔を開けて図示されている。保持部材３３は、焼結材料、フェノール樹脂などを多孔質に形成したもの、フェルト、綿布のように基油３０を含浸可能で、かつ、収納室２９内に空気が吸気された際に、その圧力により基油３０の離脱を許容する材質が用いられる。
【００２４】
ノズル３１，３２の開口のうち、一方は、内輪部材１４の回転方向とは反対方向に向くように斜状に設けられ、他方は内輪部材１４の回転方向とは同じ方向に向くように斜状に設けられている（図３参照）。
【００２５】
すなわち、図３の実線で示す矢印は、内輪部材１４が正転する方向を示してお、この場合、ノズル３１は、その開口が内輪部材１４が正転する方向とは反対方向（逆転方向という）に斜めに向くように配置されるとともに、ノズル孔３１ａが直線状に延びて収納室２９に連通されている。
【００２６】
この結果、内輪部材１４が正転する場合、ノズル３１は吸気ノズルとなり、内輪部材１４が正転時に随伴して流れる空気を吸い込みして収納室２９へ空気を送る。
又、ノズル３２の開口は、内輪部材１４が正転する方向に斜めに向かうように配置されている。この結果、内輪部材１４が正転する場合、ノズル３２は吐出ノズルとなり、内輪部材１４が正転時に随伴して流れる空気により負圧が働くとともに、収納室２９に送り込まれた空気の圧力により保持部材３３に保持された基油３０を吐出する。なお、正転とは図１において、駆動軸１３が矢印で示す方向に回転したときをいい、逆転とは正転と反対方向の回転である。
【００２７】
又、図３の一点鎖線で示す矢印は、内輪部材１４が逆転する方向を示しており、この場合、ノズル３２は、その開口が内輪部材１４が逆転方向とは反対方向（正転方向）に斜めに向くように配置されるとともに、ノズル孔３２ａが直線状に延びて収納室２９に連通されている。この結果、内輪部材１４が逆転する場合、ノズル３２は吸気ノズルとなり、内輪部材１４が逆転時に随伴して流れる空気を吸い込みして収納室２９へ空気を送る。
【００２８】
又、ノズル３１の開口は、内輪部材１４が逆転する方向に斜めに向かうように配置されている。この結果、内輪部材１４が逆転する場合、ノズル３１は吐出ノズルとなり、内輪部材１４が逆転時に随伴して流れる空気により負圧が働くとともに、収納室２９に送り込まれた空気の圧力により保持部材３３に保持された基油３０を吐出する。
【００２９】
本実施形態では、図３に示すように外輪間座２０の端面を隆起してノズル３１，３２をその隆起した部位に設けられているが、図４に示すように、ノズル３１，３２に対応して部位のみを突出してもよい。
【００３０】
又、図２に示すように各内輪部材１４の対向する軸方向端面１４ａであって、内輪部材１４が回転している際に前記ノズル３１，３２と相対する部位には、断面矩形でかつ周方向に沿った環状の溝３４が形成されている。図２に示すように内輪軌道面１６の片寄っている側の反対側には、断面略Ｖ字形のＶ字溝３５が周縁部に沿うように環状に形成されている。このＶ字溝３５は、内輪軌道面１６上の玉１８の接触部を回避する位置に形成されている。
【００３１】
溝３４の角部には、給油孔３６がＶ字溝３５に開口して溝３４とＶ字溝３５とを連通するように形成されている。給油孔３６は、内輪部材１４の周方向に所定間隔置きに複数個（例えば６〜２４箇所）に形成され、溝３４側の開口がＶ字溝３５側の開口よりも駆動軸１３側に近位となるように配置されている。給油孔３６の玉１８側開口の径方向外方側部と玉１８の転動面との間には、環状の隙間３７が設けられている。
【００３２】
次に、本軸受装置１０の潤滑動作について説明する。
軸受装置１０の使用、すなわち駆動軸１３の軸心回りの回転に伴なう内輪部材１４の回転の際は、予め軸受内部に設けられているグリースＧの基油３０によって軸受内部が潤滑される。そして、軸受装置１０の使用に伴ないグリースＧの基油３０の量が次第に軸受内部から減少する傾向にあった場合、増稠剤が軸受内部に残留することになる。
【００３３】
しかし、本実施形態では軸受装置１０は、基油３０を軸受内部に駆動軸１３の回転速度、すなわち、軸受の回転速度に応じて自動補給する。すなわち、駆動軸１３が正転した場合、内輪部材１４も正転するため、そのときに随伴する空気をノズル３１は吸気ノズルとして吸い込みして収納室２９へ空気を送る。そして、収納室２９の保持部材３３に保持された基油３０を負圧が働くノズル３２側へ移動させる。ノズル３２は吐出ノズルとして、保持部材３３に保持された基油３０を吐出する。
【００３４】
この基油３０の吐出量は駆動軸１３の回転速度に応じて変化する。すなわち、駆動軸１３の回転速度が大きくなれば内輪部材１４に随伴する空気流の速度も上昇して、ノズル３１を介して吸入される空気量も増加するため、収納室２９内の圧力が高まるとともに、ノズル３２に働く負圧も増加するため保持部材３３から開放される基油３０も増加して、吐出される。
【００３５】
又、ノズル３２から吐出された基油３０は、溝３４内に受け入れられる。
工作機械の駆動により駆動軸１３が回転すると、内輪部材１４が駆動軸１３とともに軸心回りに回転し、基油３０に径方向外方に向かう遠心力が働く。そうすると基油３０は、遠心力の大きさに応じて溝３４から、各給油孔３６を通過してＶ字溝３５に至る。そして、Ｖ字溝３５である程度の量の基油３０が確保されつつ、一方で基油３０は増稠剤に保持されることになって、その基油３０は内輪部材１４の回転とともに使用され、軸受内部を潤滑する。
【００３６】
なお給油孔３６は、その開口面積よりも大きな面積を有するＶ字溝３５に連通されているので、基油３０は、上記遠心力によって容易にＶ字溝３５に至ることができる。又、仮に過量の基油３０が軸受内部に供給された場合であっても、Ｖ字溝３５に至った基油３０のうち過量の基油３０は、隙間３７から軸受外部へ向けて、排出される。
【００３７】
なお、駆動軸１３が逆転された場合には、ノズル３２が吸入ノズルとして機能し、ノズル３１が吐出ノズルとして機能するところが異なるが、他は正転時と同様であるため、その説明を省略する。
【００３８】
さて、上記のように構成された軸受装置１０は下記の特徴がある。
（１）  本実施形態の軸受装置１０は、基油３０（潤滑剤）と、基油３０を保持する保持部材３３を収納する収納室２９を有する外輪間座２０を収納室形成部材として備えている。又、収納室２９は、収納室２９と連通され、内輪部材１４の回転によって流れる空気を受け入れるノズル３１，３２（吸気ノズル）と、収納室２９と連通され、ノズル３１，３２（吸気ノズル）が吸気した空気によって収納室２９内の基油３０を軸受に向けて吐出するノズル３２，３１（吐出ノズル）を備えている。本実施形態では、特にノズル３２，３１は内輪部材１４に向けている。
【００３９】
この結果、ノズル３１，３２（吸気ノズル）から内輪部材１４の回転によって流れる空気を受け入れ、収納室２９内の基油３０をノズル３２，３１（吐出ノズル）から内輪部材１４に向けて吐出するため、構造が簡単であるとともに、軸受の回転速度に応じて基油３０を自動補給できる。この結果、メンテナンスフリーとすることができる。特に、工作機械の軸受装置に具体化した場合、メンテナンスフリーのスピンドルとすることができる。
【００４０】
又、正転、逆転を問わず、軸受の回転速度に応じて基油３０を自動補給できる。
（２）  本実施形態の軸受装置１０は、ノズル３１，３２（吸気ノズル）の開口が、内輪部材１４の回転方向と反対方向に斜めに向かうように設けて、内輪部材１４の回転に伴って流れる空気をノズル３１，３２（吸気ノズル）の開口を介して収納室２９に効率よく入るようにした。このため、収納室２９内の基油３０を吐出する圧力が高まり、良好に基油３０を吐出できる。
【００４１】
（３）  本実施形態の軸受装置１０は、ノズル３２，３１（吐出ノズル）の開口が、内輪部材１４の回転方向と同方向に向かうように設けられていることにより、ノズル３２，３１（吐出ノズル）の開口内が、回転側軌道部材の回転に伴って流れる空気により吸引されて圧力が低下する。このため、収納室２９からの基油３０を内輪部材１４に抵抗なく向けて吐出することができる。
【００４２】
（４）  本実施形態の軸受装置１０は、内輪部材１４に隣接する外輪間座２０（間座）に収納室２９が設けられていることにより、収納室２９を内輪部材１４に近接して配置することができ、このため、ノズル３１，３２を短くできるため、ノズル３１，３２を通過する空気の流動抵抗や、基油３０の流動抵抗を抑制して、好適に基油３０を吐出できる。
【００４３】
（５）  又、本実施形態では、軸受装置１０に基油３０の供給路を設け、グリースＧが不足しやすい基油３０を軸受内部に補給するようにしたので、工作機械を分解することなく容易に潤滑油、すなわち基油３０を補給することができる。この結果、工作機械を分解してグリースＧを軸受内部に補給する場合に比べて、その手間を大幅に削減することができる。
【００４４】
（６）  又、グリースＧそのものではなく、その基油３０のみを補給するようにしたので、増稠剤の量が増加することはなく、この結果、玉１８の攪拌抵抗の上昇を抑えることができ、特に従来、高速下で使用される軸受におけるグリースＧの短寿命化に伴なう発熱等の不具合を、容易に解消することができる。
【００４５】
（７）  さらに、本実施形態では、基油３０の補給によって充分な潤滑性を確保することができることから、予め封入するグリースＧ量を過量にする必要がなく、従って、初期のグリースＧ量そのものを減らすことができる。
【００４６】
（第２実施形態）
次に、第２実施形態の軸受装置１０を図４，図５を参照して説明する。
なお、第１実施形態と同一構成については、同一符号を付して異なる構成を中心に説明する。第１実施形態では、アンギュラ玉軸受に具体化したが、第２実施形態では、円筒ころ軸受に具体化したところが異なっている。
【００４７】
図５に示すように、円筒ころ軸受の外輪部材４５はハウジング１２の支持孔２４に圧入されるとともに、駆動軸１３に内輪部材４６が圧入されている。
軸受装置１０は、図５に示すように、内輪部材４６の外周面に形成された内輪軌道面４８及び外輪部材４５の内周面に形成された外輪軌道面４７の間に転動自在に配置される複数個の円筒ころ４９とを備えている。円筒ころ４９は保持器５０により円周方向等配位置に保持されている。又、予め軸受内部にグリースＧが設けられている（図５参照）。
【００４８】
外輪部材４５は、その軸心方向両端には一対の円筒状をなす外輪間座２０がそれぞれ配置されて、挟持されている。又、内輪部材４６は、その軸心方向両端に円筒状の内輪間座２１がそれぞれ配置されて挟持されている。
【００４９】
本実施形態では、各外輪間座２０において、図４の模式図に示されている収納室２９、ノズル３１，３２を備えている。各外輪間座２０に設けられた収納室２９の各ノズル３１，３２は、円筒ころ軸受の保持器５０と外輪部材４５の間に基油３０を吐出できるように配置されている。
【００５０】
このように構成された円筒ころ軸受を備えた軸受装置１０は、駆動軸１３を正転した際には、円筒ころ４９，保持器５０，内輪部材４６の回転に随伴した空気がノズル３１内に吸気され、第１実施形態と同様にしてノズル３２から基油３０が吐出される。
【００５１】
又、円筒ころ軸受を備えた軸受装置１０は、駆動軸１３を逆転した際には、円筒ころ４９，保持器５０，内輪部材４６の回転に随伴した空気がノズル３２内に吸気され、第１実施形態と同様にしてノズル３１から基油３０が吐出される。
【００５２】
そして、ノズルからの基油３０を、駆動軸１３の回転速度、すなわち、軸受の回転速度に応じて基油３０を自動補給できる。
又、第２実施形態は、前記第１実施形態の（２）〜（７）と同様の効果を奏する。
【００５３】
なお、本発明の実施形態は以下のように変更してもよい。
○  前記各実施形態では、内輪部材１４を回転側軌道部材としたが、外輪部材１５を回転側軌道部材とする場合には、内輪部材１４が固定側軌道部材となる。この場合、収納室形成部材を内輪間座２１にして、内輪間座２１に収納室、保持部材３３、ノズル３１，３２を設けるようにしてもよい。
【００５４】
○  前記各実施形態では、グリース潤滑の軸受装置に具体化したが、潤滑油潤滑式の軸受装置に具体化してもよい。すなわち、収納室２９内の保持部材に潤滑剤としての潤滑油を保持するようにしてもよい。
【００５５】
○  前記各実施形態では、グリース潤滑の軸受装置において、基油のみを補給するように具体化したが、収納室内に潤滑剤としてのグリースを充填して、保持部材に保持させ、グリースを軸受の回転速度に応じて補給するようにしてもよい。
【００５６】
○  前記実施形態では、外輪間座２０を収納室形成部材としたが、間座に限定されるものではなく、例えば、スペーサ２２を収納室、吸気ノズル及び吐出ノズルを設けてスペーサ２２を収納室形成部材としてもよい。
【００５７】
○  前記実施形態では、吸気ノズル、吐出ノズルとなるノズルをそれぞれ単体としたが、数は１本以上あればよいため、吸気ノズル、吐出ノズルとなるノズルをそれぞれ複数にしてもよい。
【図面の簡単な説明】
【００５８】
【図１】本発明の第１実施形態の転がり軸受装置を工作機械に装着した使用状態の断面図。
【図２】軸受装置の要部断面図。
【図３】収納室を展開した模式図である。
【図４】収納室を変形した模式図である。
【図５】第２実施形態の軸受装置の要部断面の模式図。
【符号の説明】
【００５９】
１０…軸受装置、１２…ハウジング、１３…駆動軸、
１４…内輪部材（回転側軌道部材）、１４ａ…軸方向端面１４ａ
１５…外輪部材（固定側軌道部材）、１６…内輪軌道面、１７…外輪軌道面、
１８…玉（転動体）、１９…保持器、
２０…外輪間座（収納室形成部材）、２９…収納室、３０…基油、
３１…ノズル３１（吸気ノズル、吐出ノズル）、
３２…ノズル３２（吐出ノズル、吸気ノズル）、
３２ａ…ノズル孔、３３…保持部材、
４５…外輪部材４５（固定側軌道部材）、４７…外輪軌道面、
４８…内輪軌道面、４９…円筒ころ（転動体）、５０…保持器５０。
【図１】
0005018334.tif 000002
【図２】
0005018334.tif 000003
【図３】
0005018334.tif 000004
【図４】
0005018334.tif 000005
【図５】
0005018334.tif 000006